(57)【要約】【課題】らせん状にねじれた漏れ吸収リングを用いることにより，ストーマ装具の面板の外周から尿が漏れた場合にも，尿漏れの広がりを防いで，不快感をなくす。【解決手段】ストーマ装具を皮膚に装着するときに，面板の周囲の粘着テープの外面とストーマ袋の間に漏れ吸収リング１０を挟む。この漏れ吸収リングは紐状部材１２を環状に形成したものであり，その横断面の形状は円形または楕円形である。紐状部材は吸水層を備えている。この吸水層は，互いに概略平行に並ぶ多数の糸１４を含んでいて，これらの多数の糸は，紐状部材の長手方向にらせん状に延びている。らせん状にねじれた多数の糸からなる吸水層が，漏れた尿を吸収すると，尿はらせん状の糸に沿って染み込んでいき，尿漏れ箇所から尿が離れていく。したがって，尿で濡れた箇所は点状にとどまり，濡れた箇所が広がらない。【選択図】図１
2005304656.tif 000002
【特許請求の範囲】
【請求項１】
次の特徴を備える，ストーマ装具のための漏れ吸収リング。
（ア）前記漏れ吸収リングは紐状部材を環状に形成したものである。
（イ）前記紐状部材の横断面の形状は，外側に向かって凸となる閉じた曲線である。
（ウ）前記紐状部材は吸水層を備えている。
（エ）前記吸水層は，互いに概略平行に並ぶ多数の糸を含んでいて，前記多数の糸は，前記紐状部材の長手方向にらせん状に延びている。
【請求項２】
請求項１に記載の漏れ吸収リングにおいて，前記曲線は円形または楕円形であることを特徴とする漏れ吸収リング。
【請求項３】
請求項１または２に記載の漏れ吸収リングにおいて，前記吸水層は前記紐状部材の表面に露出していることを特徴とする漏れ吸収リング。
【請求項４】
請求項１または２に記載の漏れ吸収リングにおいて，前記紐状部材は，一番外側に透水層があり，この透水層の内側に前記吸水層があることを特徴とする漏れ吸収リング。
【発明の詳細な説明】
【技術分野】
【０００１】
本発明は、ストーマ装具を皮膚に取り付けた状態における装具貼り付け部分からの排泄液の漏れを吸収するためのリングに関するものである。
【背景技術】
【０００２】
ストーマとは，人体の腹部等に人工的に設けた排泄口を指し，代表的には，人工肛門などの消化器ストーマと，人工膀胱に伴う尿の排泄口（尿路出口）である尿路ストーマがある。このストーマから排泄される排泄物を常時採取するための装具がストーマ装具（以下，単に装具ということもある）である。ストーマ装具は面板とストーマ袋からなる。面板はストーマの周囲の皮膚に貼り付けられるものである。ストーマ袋は排泄物を溜めるものである。ストーマ装具としては，面板とストーマ袋が一体になっているワンピース型と，面板とストーマ袋が分離可能なツーピース型が知られている。
【０００３】
ストーマ装具を装着している装着者にとって，装具の貼り付け部分からの排泄液の漏れは切実な問題である。以下の説明では，尿路ストーマ装具における尿の漏れについて説明する。装具の面板の中央には，ストーマを取り囲む貫通孔が形成されている。面板を皮膚に貼り付けるときは，面板の貫通孔がストーマを取り囲むように位置決めする。面板の貫通孔の内径はストーマの外径よりも少し大きくなっているので，面板はストーマに接触しないようにする。ストーマから排泄される尿は，面板に固定されたストーマ袋に採取される。ストーマから排泄される尿は，ときには，面板の内周縁に接触することがある。面板は粘着剤によって皮膚に密着しているので，通常は，面板と皮膚の間を通って尿が外部に漏れることはない。
【０００４】
しかしながら，皮膚に皺が寄ったりしていると，面板と皮膚の間に筋状の隙間ができて，ここから尿が漏れることがある。また，そのような隙間がなくても，時間が経過すれば，尿に接触した面板の劣化によって尿が漏れることがある。すなわち，面板は皮膚保護材でできているが，この皮膚保護材は，尿に接することで，徐々に尿を吸収して劣化していく。この劣化した部分は尿を通過させやすくなる。劣化部分が面板の外周まで到達すると，尿が面板の外周部から漏れやすくなる。したがって，面板の劣化が外周に到達する前に装具を交換する必要がある。装具交換の目安は，通常は，３〜４日程度である。
【０００５】
ストーマ装具に関して，漏れ防止に関する技術としては，次のようなものが知られている。次の特許文献１は，排泄物の漏れを防止するための漏れ防止具を開示している。
【特許文献１】特開２００−１２０５８７号公報
【０００６】
この特許文献１の漏れ防止具は，ツーピース型の消化管ストーマに関するものであり，この漏れ防止具を用いることにより，ストーマ周囲の腹壁の皮膚部に貼り付けるフランジ粘着部材の下側から，排泄物が漏れ出すのを防ぐことができる。この漏れ防止具はリング状であり，このリングによって排泄物移動経路を確保でき，これによって，フランジ粘着部材と皮膚の間に排泄物が進入するのを防いでいる。
【０００７】
また，次の特許文献２は，ストー袋を収納する収納袋を開示している。
【特許文献２】実用新案登録第３０７３９３８号公報
【０００８】
この特許文献２の収納袋は，消化管ストーマ及び尿路ストーマに関するものであって，収納袋の中にストーマ袋と吸収体を収納している。ストーマ袋から漏れた排泄液は吸収体に吸収されるようになっている。
【発明の開示】
【発明が解決しようとする課題】
【０００９】
尿路ストーマ装具において，装具交換の目安が３〜４日であるとしても，装着者の皮膚の状態による個人差や，装具の個体差などによって，予想よりも早く尿漏れが生じることがある。面板の外周部から尿が漏れると，皮膚や下着を濡らすことになり，装着者に不快感をもたらす。特に外出時には，装具の交換もままならず，不快な尿漏れの感触が続くことになる。
【００１０】
上述の特許文献１の技術は，面板と皮膚の間から排泄物が漏れないようにするためのものであって，万が一，漏れた場合のことは考慮していない。また，特許文献２の技術はストーマ袋から漏れた排泄液を吸収するものであって，面板と皮膚の間から漏れた排泄液については何も考慮していない。したがって，これらの従来技術をもってしても，面板から尿が漏れた場合の不快感は解消できない。
【００１１】
本発明は，このような問題点を解決するためになされたものであり，その目的は，面板の外周から尿が漏れた場合にも，尿漏れの広がりを防いで，不快感をなくすことのできる漏れ吸収リングを提供することにある。
【課題を解決するための手段】
【００１２】
本発明に係るストーマ装具のための漏れ吸収リングは、次の特徴を備えている。（ア）前記漏れ吸収リングは紐状部材を環状に形成したものである。（イ）前記紐状部材の横断面の形状は，外側に向かって凸となる閉じた曲線である。（ウ）前記紐状部材は吸水層を備えている。（エ）前記吸水層は，互いに概略平行に並ぶ多数の糸を含んでいて，前記多数の糸は，前記紐状部材の長手方向にらせん状に延びている。
【００１３】
この漏れ吸収リングは環状に形成されているが，その内周の形状は，ストーマ装具の面板（皮膚に貼り付けられるもの）の外周の形状にほぼ合致している。面板の外周形状が円形であれば，漏れ吸収リングの内周形状も円形にする必要がある。
【００１４】
紐状部材の横断面の形状は，外側に向かって凸となる閉じた曲線であり，具体的には，概略円形か概略楕円形とするのが好ましい。外側に向かって凸となる閉じた曲線にすることにより，紐状部材と，これに接する部材（皮膚またはストーマ装具の粘着テープ）との接触面が面状にならずに，線状になる。これにより，この接触部分に排泄液が滲み出てきても，濡れた箇所が面状に広がりにくくなる。
【００１５】
紐状部材は吸水層を備えているが，この吸水層は，互いに概略平行に並ぶ多数の糸を含んでいて，前記多数の糸が，前記紐状部材の長手方向にらせん状に延びている。この「らせん状」に延びる点が本発明の重要な特徴である。前記多数の糸は，それ自体が吸水性のある素材でできていることが好ましいが，糸自体に吸水性がなくても，多数の糸の間に微細な間隙を形成して，その間隙に沿って毛細管現象で水分が染み込んでいくようなものでもよい。吸水層の素材としては，多数の縦糸と多数の横糸からなる織物をねじったものとすることができる。これにより，例えば縦糸が，らせん状にねじれた状態となる。このような，らせん状にねじれた多数の糸からなる吸水層が，ストーマから排泄された液体を吸収すると，その排泄液はらせん状の糸に沿って染み込んでいき，紐状部材と，これに接する部材との接触箇所から排泄液が離れていく。したがって，排泄液で濡れた箇所は点状にとどまり，濡れた箇所が広がらない，という利点がある。これにより，たとえ排泄液の漏れがあっても，装着者の不快感が少ない。
【００１６】
上述の吸水層は紐状部材の表面に露出していてもよいし，あるいは，吸水層の表面に薄い透水層をかぶせてもよい。
【発明の効果】
【００１７】
本発明の漏れ吸収リングは，その吸水層を構成する多数の糸がらせん状に延びているので，ストーマから排泄された液体がストーマ装具の貼り付け部分から漏れても，この排泄液はらせん状の糸に沿って染み込んでいく。これにより，紐状部材と，これに接する部材との接触箇所から排泄液が離れていき，排泄液で濡れた箇所は点状にとどまり，濡れた箇所が広がらない。したがって，ストーマ装具の装着者は，尿漏れの不快感をほとんど感じないという効果がある。
【発明を実施するための最良の形態】
【００１８】
以下，図面を参照して本発明の実施例を詳しく説明する。図１は本発明の漏れ吸収リングの第１実施例を示すものであり，図１（Ａ）は平面図，図１（Ｂ）は図１（Ａ）のＡ−Ａ線で切断した断面図である。この漏れ吸収リング１０は，紐状部材１２を円環状に形成したものである。紐状部材１２の横断面の形状は，自然状態において，概略円形である。この紐状部材１２は，その全体が吸水層でできている。この吸水層は，多数の縦糸と多数の横糸からなる織物でできている。そして，多数の縦糸１４はらせん状にねじれている。
【００１９】
図９は，漏れ吸収リング１０の製造方法の一例を示している。まず，多数の縦糸と多数の横糸からなる織物（この実施例では木綿の布である）を用意する。この織物を，縦糸が長手方向に延びるように紐状に丸めると，図９（Ａ）に示すような紐状部材１２が出来上がる。縦糸１４は紐状部材１２の長手方向に沿って直線状に延びている。細線１４は縦糸を表す線であり，太線１６は織物の端部を表す線である。この紐状部材１２を，図９（Ｂ）に示すようにねじることで，縦糸１４がらせん状にねじれながら長手方向に延びていくような紐状部材１２が出来上がる。この紐状部材１２を所定長さに切断して，その両端を互いに付き合わせて接合部１８で接合することで，図９（Ｃ）に示すような円環状のリング１０が出来上がる。多数の縦糸１４は，互いに概略平行に並んでいて，紐状部材１２の長手方向（周方向）にらせん状に延びていることになる。
【００２０】
図２は図１の漏れ吸収リング１０の斜視図である。多数の縦糸１４が，紐状部材１２の長手方向（周方向）にらせん状に延びていることが分かる。
【００２１】
図３はワンピース型の尿路ストーマ装具の正面図である。この図面は，装着者の皮膚に取り付ける側から尿路ストーマ装具を見たものである。この尿路ストーマ装具は面板２０とストーマ袋２２からなる。面板２０は装着者の皮膚に貼り付けられるものである。面板２０は比較的剛性のある板状の皮膚保護材でできていて，その表面に粘着剤が付いている。使用前の状態では，粘着剤の表面は剥離紙で覆われている。図３は剥離紙を取り除いた状態を示している。面板２０の外周形状は円形である。面板２０の中央には円形の貫通孔２４が形成されている。この貫通孔２４の内径は尿路ストーマの外径よりも少し大きくなっている。
【００２２】
面板２０の周囲には粘着テープ２６が設けられている。この粘着テープ２６も，使用前の状態では，その粘着面が剥離紙２８で覆われている。剥離紙２８には，剥離を容易にするための複数のカット線３０が形成されている。
【００２３】
ストーマ袋２２は面板２０に接合されている。このストーマ袋２２は尿路ストーマから排泄される尿を採取するためのものである。
【００２４】
図４は図３の尿路ストーマ装具を皮膚に取り付けた状態を示す水平断面図であり，図３のＢ−Ｂ線で切断したところを示している。尿路ストーマ装具を取り付けるには，次のようにする。まず，漏れ吸収リング１０の中空部分に，尿路ストーマ装具の面板２０と粘着テープ２６を通す。これにより，面板２０及び粘着テープ２６とストーマ袋２２との間に漏れ吸収リング１０を配置する。次に，面板２０の剥離紙をはがして，面板２０の貫通孔２４が尿路ストーマ３０を取り囲むように面板２０を位置決めして，面板２０の粘着面を皮膚３２に貼り付ける。次に，粘着テープ２６の剥離紙をはがして，粘着テープ２６を皮膚３２に貼り付ける。これで尿路ストーマ装具の装着が完了する。
【００２５】
漏れ吸収リング１０は，面板２０及び粘着テープ２６とストーマ袋２２との間に挟まれた状態にあり，漏れ吸収リング１０の紐状部材は概略楕円形に変形している。この取り付け状態では，漏れ吸収リング１０の内径は，面板２０の外径よりもわずかに小さくなっている。
【００２６】
面板２０と皮膚３２の間に，皮膚の皺などによる隙間があると，その隙間を通って尿が面板２０の外周から漏れることがある。また，尿が面板２０の内周に接触すると，面板２０の内周から外周に向かって劣化が進行していき，この劣化が面板２０の外周まで達すると，尿が面板２０の外周から漏れることがある。このようにして漏れてきた尿は，粘着テープ２６を濡らすことになる。粘着テープ２６は耐水性ではないので，尿は粘着テープ２６を通過して粘着テープ２６の外面に染み出してくる。粘着テープ２６の外面には漏れ吸収リング１０が接触しているので，漏れてきた尿は漏れ吸収リング１０に吸収される。
【００２７】
図５は漏れ吸収リングの紐状部材１２と粘着テープ２６との接触部の付近を拡大して示した拡大図である。粘着テープ２６から尿３３が染み出してくると，この尿３３は吸水性のある紐状部材１２に吸収される。紐状部材１２の縦糸１４はらせん状にねじれているので，尿３３は縦糸１４に沿って染み込んでいく。これにより，粘着テープ２６と紐状部材１２との接触部分から尿３３が離れていく。したがって，尿に濡れた箇所は点状にとどまり，面状に広がらない。このように，たとえ尿が面板の外部に漏れ出ても，濡れた箇所は点状にとどまり，装着者が不快に感じることはほとんどない。
【００２８】
これに対して，らせん状にねじっていない紐状部材３４を使った場合の状況を説明する。図６は，らせん状にねじっていない紐状部材３４を使った場合（比較例）の，図５と同様の拡大図である。粘着テープ２６から尿３３が染み出してくると，この尿３３は吸水性の紐状部材３４に吸収されるが，尿３３に濡れた部分は，紐状部材３４と粘着テープ２６との接触部分に沿って，すなわち，紐状部材３４の長手方向に沿って，広がっていく。したがって，尿３３に濡れた箇所はどんどん広がっていく。そのために，装着者の皮膚や下着が濡れていき，不快感が増すことになる。
【００２９】
図７は，別の尿路ストーマ装具を皮膚に取り付けた状態の図４と同様の水平断面図である。この尿路ストーマ装具は，面板２０の周囲に粘着テープが存在しないタイプである。すなわち，面板２０の粘着剤だけで皮膚に貼り付けるタイプである。この場合は，漏れ吸収リング１０は皮膚３２とストーマ袋２２の間に挟まれることになる。面板２０と皮膚３２の間から漏れた尿，または，劣化した面板２０を通して漏れた尿は，漏れ吸収リング１０に吸収される。漏れ吸収リング１０の紐状部材の縦糸はらせん状にねじれているので，紐状部材に吸収された尿は，やはり，図５に示したように，らせん状の縦糸に沿って染み込んでいき，皮膚３２から離れていくことになる。したがって，尿に濡れた箇所は点状にとどまり，それ以上広がることはない。
【００３０】
図８は本発明の漏れ吸収リングの第２実施例における紐状部材の横断面図である。この紐状部材３６は，中心に位置する芯材３８と，芯材３８を取り囲む吸水層４０と，吸水層４０の外周面を覆う薄い透水層４２からなる。芯材３８は，漏れ吸収リングを円環状の形状に維持するための補強部材として機能するものであり，例えば，ゴムなどの弾性体でできている。吸水層４０は第１実施例で説明した吸水層と同じ材質のものであり，多数の縦糸がらせん状にねじれながら紐状部材の長手方向に延びているものである。一番外側の透水層４２は，厚さが１ｍｍ以下の薄手のものであって，その材質は，水分を透過させることができて，水分保持能力がないものである。この種の透水性材料としては，生理用品やおむつ用品などにおける皮膚接触シートとして使われている公知の材料を利用できる。
【００３１】
図８の紐状部材３６で形成された漏れ吸収リング１０は，尿が透水層４２を通過してから，吸水層４０に吸収される。吸水層４０に吸収された尿は，図５に示したのと同様に，らせん状の縦糸に沿って染み込んでいく。この第２実施例では，透水層４２が存在するので，尿の染み込んだ漏れ吸収リングが皮膚に接触しても，濡れた感じが全くしない。また，尿が染み込んだ漏れ吸収リングを取り外すときにも，尿が手に触れることがほとんどない。
【００３２】
本発明は上述の実施例に限定されず，次のような構造変更や用途変更が可能である。
（１）図８の紐状部材３６において，芯材３８を省略して，吸水層４０と透水層４２だけにすることができる。また，透水層４２を省略して，芯材３８と吸水層４０だけにすることができる。
（２）本発明の漏れ吸収リングは，ワンピース型のストーマ装具だけではなくて，ツーピース型のストーマ装具にも適用できる。
（３）本発明の漏れ吸収リングは，尿路ストーマ装具だけではなくて，消化管ストーマ装具にも適用できる。
【図面の簡単な説明】
【００３３】
【図１】本発明の漏れ吸収リングの第１実施例の平面図と断面図である。
【図２】図１の漏れ吸収リングの斜視図である。
【図３】尿路ストーマ装具の正面図である。
【図４】図３の尿路ストーマ装具を皮膚に取り付けた状態を示す水平断面図である。
【図５】漏れ吸収リングの紐状部材と粘着テープとの接触部の付近を拡大して示した拡大図である。
【図６】らせん状にねじっていない紐状部材を使った場合（比較例）の，図５と同様の拡大図である。
【図７】別の尿路ストーマ装具を皮膚に取り付けた状態の図４と同様の水平断面図である。
【図８】本発明の漏れ吸収リングの第２実施例における紐状部材の横断面図である。
【図９】漏れ吸収リングの製造方法の一例を示した説明図である。
【符号の説明】
【００３４】
１０  漏れ吸収リング
１２  紐状部材
１４  縦糸
２０  面板
２２  ストーマ袋
３０  尿路ストーマ
３２  皮膚
３３  尿
【図１】
2005304656.tif 000003
【図２】
2005304656.tif 000004
【図３】
2005304656.tif 000005
【図４】
2005304656.tif 000006
【図５】
2005304656.tif 000007
【図６】
2005304656.tif 000008
【図７】
2005304656.tif 000009
【図８】
2005304656.tif 000010
【図９】
2005304656.tif 000011